(57)【要約】      （修正有）【課題】ゴルフコースでプレイ中にはクラブ数本を収納して容易に持ち運ぶことができ、また、プレイヤが電車などで移動する場合には嵩張ることなくカバンなどの中に収納可能で携帯が容易なクラブケースを提供する。【解決手段】上端面１８が開口した筒状の頭部１１と、下端の底面３２が閉じた筒状の底部３１と、該底部３１及び該頭部１１との間に収納空間を形成する腹部２１と、からなる収納部２と、該頭部１１に一端が固定され、該底部３１に他端が固定される少なくとも１本の補助棒１３と、を備えるクラブケース１である。【選択図】図１
2020044148.tif 000002
【特許請求の範囲】
【請求項１】
ゴルフクラブを収納するクラブケースであって、
上端が開口した環状の頭部と、下端が閉じた筒状の底部と、前記頭部及び前記底部との間に収納空間を形成する腹部と、を有する収納部と、
前記頭部に一端が固定され、前記底部に他端が固定される少なくとも１本の補助棒と、
を備えるクラブケース。
【請求項２】
前記腹部は、上端及び下端をそれぞれ前記頭部及び前記底部に着脱可能に取り付けられる、請求項１に記載のクラブケース。
【請求項３】
前記補助棒は、前記頭部と前記底部との間に着脱可能に固定される、請求項１又は２に記載のクラブケース。
【請求項４】
前記補助棒は、伸縮可能に構成される、請求項１〜３のいずれか一項に記載のクラブケース。
【請求項５】
前記頭部に固定される少なくとも１本の脚を更に備える、請求項１〜４のいずれか一項に記載のクラブケース。
【請求項６】
前記脚は、前記頭部に着脱可能に固定される、請求項５に記載のクラブケース。
【請求項７】
前記脚は、伸縮可能に構成される、請求項５又は請求項６に記載のクラブケース。
【発明の詳細な説明】
【技術分野】
【０００１】
本発明は、携帯式クラブケースに関する。
【背景技術】
【０００２】
ゴルフコースにおいて、グリーンに近くなると、グリーンまでの距離、バンカー配置、コースの地形等に応じて適したアプローチ用のゴルフクラブ（以下、単に「クラブ」ともいう。）を使用する。一方、昨今のゴルフコースでは、１台の電動カート（以下、単に「カート」ともいう。）にプレイヤ４名が乗車して移動し、そのカートにキャディバッグが積んであることから、持っていたクラブと異なるクラブを使用したい場合には、その都度、カートまで使用したいクラブを取りに行く必要がある。その為、プレイヤは、キャディバッグに加えてアプローチ用のクラブ数本を入れた補助用バッグ、即ちクラブケースを用いることが多くなっている。
【０００３】
例えば、特許文献１に数本のクラブを入れて持ち運ぶ、或いはカートに載せたゴルフバッグに引掛けて置くことができる補助用バックが開示されている。しかしながら、この補助用バッグとキャディバッグとは一体化していないことから、プレイヤがゴルフコースまで電車で移動しキャディバッグを持参する場合にはキャディバッグと補助用バッグの二つを持ち運ぶ負担があった。一方、宅配便貨物としてキャディバッグと補助用バッグを運送する場合には、二つの物品として取り扱われ、運送費が倍額要する問題があった。
【０００４】
これに対し、特許文献２にはキャディバッグと一体として同時に宅配便貨物として運送できる補助用バッグが開示されている。しかしながら、この補助用バッグは、キャディバッググの外側に脱着可能に取り付けることから、全体の容積が大きくなり、プレイヤが電車で移動し、キャディバッグを持参することは、やはり容易でない。
【先行技術文献】
【特許文献】
【０００５】
【特許文献１】特開２０１３−１６５９０７号公報
【特許文献２】特開２０１７−１０４２３２号公報
【発明の概要】
【発明が解決しようとする課題】
【０００６】
本発明は、ゴルフコースでプレイ中にはクラブ数本を収納して容易に持ち運ぶことができ、また、プレイヤが電車などで移動するときには嵩張ることなくキャディバッグ、あるいは、カバンなどの中に収納可能で携帯が容易なクラブケースを提供することを目的とする。
【課題を解決するための手段】
【０００７】
本発明に係るクラブケースは、
ゴルフクラブを収納するクラブケースであって、
上端が開口した筒状の頭部と、下端が閉じた筒状の底部と、底部及び頭部との間に収納空間を形成する腹部と、を有する収納部と、
頭部に一端が固定され、底部に他端が固定される少なくとも１本の補助棒と、を備える、クラブケースである。
【０００８】
本発明に係るクラブケースであれば、クラブをクラブケースに収納して持ち運ぶことが可能であり、また、プレイヤが電車などでの移動時には、長さ方向に収縮してカバンなどに収納して持ち運ぶことが容易にできる。
【０００９】
本発明に係るクラブケースの腹部は、上端及び下端をそれぞれ頭部と底部に着脱可能に取り付けられる、クラブケースである。
【００１０】
本発明に係るクラブケースであれば、より嵩張ることなくカバンに収納して、クラブケースを携帯することができる。
【００１１】
本発明に係るクラブケースの補助棒は、頭部と底部との間に着脱可能に固定されるクラブケースである。
【００１２】
本発明に係るクラブケースの補助棒であれば、クラブケース携帯時に補助棒を取り外し、キャディバッグに収納して携帯することができる。
【００１３】
本発明に係るクラブケースの補助棒は、伸縮可能に構成される、クラブケースである。
【００１４】
本発明に係るクラブケースの補助棒であれば、クラブケース携帯時に補助棒の長さを収縮し、容易に携帯することができる。
【００１５】
本発明に係るクラブケースは、頭部に一固定される少なくとも１本の脚を更に備える、クラブケースである。
【００１６】
本発明に係るクラブケースであれば、クラブケースを容易に自立させることができる。
【００１７】
本発明に係るクラブケースの脚は、頭部に着脱可能に固定される、クラブケースである。
【００１８】
本発明に係るクラブケースであれば、クラブケース携帯時に脚を取り外し、キャディバッグに収納して携帯することができる。
【００１９】
本発明に係るクラブケースの脚は、伸縮可能に構成される、クラブケースである。
【００２０】
本発明に係るクラブケースの脚であれば、クラブケース携帯時に脚の長さを収縮し、容易に携帯することができる。
【発明の効果】
【００２１】
本発明に係るクラブケースであれば、ゴルフコースでプレイ中にはクラブ数本を収納して容易に持ち運ぶことができ、また、プレイヤが電車などで移動する場合には嵩張ることなくカバンなどの中に収納可能で容易に携帯することができる。
【図面の簡単な説明】
【００２２】
【図１】図１は、本発明のクラブケースに係る実施形態の構成を示す模式外観図である。
【図２】図２は、本発明のクラブケースに係る実施形態のクラブケースの収納部が収縮した状態を示す模式外観図である。
【図３】図３は、本発明に係るクラブケースの実施形態の変形例のクラブケースの収納部が収縮し他状態を示す模式外観図である。
【発明を実施するための形態】
【００２３】
以下、本発明の一実施形態について説明する。
【００２４】
図１は、本発明の実施形態に係るクラブケース１の構成を示し、（ａ）は正面図であり、（ｂ）は平面図である。また、図２に、クラブケース１の収納部２から腹部２１、補助棒１３、及び脚１４を取り外し、収納部２が収縮した状態を示す。
【００２５】
クラブケース１は、上端の上端面１８に開口する開口部１９を有する頭部１１、下端が閉じた底部３１、及び頭部１１と底部３１とを着脱可能に連結する腹部２１と、からなる円筒状の収納部２と、頭部１１に一端が着脱可能に固定され、他端が底部３１に着脱可能に固定される２本の補助棒１３と、を備え、収納部２にクラブ（不図示）数本を収納することができる。また、収納部２は、クラブケース１を手で持ち運ぶために使用する携帯ベルト１６を有し、頭部１１にクラブケース１を自立させる脚１４が着脱可能に取り付けられている。
【００２６】
頭部１１ は、中空の筒状の剛体からなり、外周側に下方に開いたＵ字状乃至Ｌ字状のフック１２及びクラブケース１を自立させる２本の脚１４を有する。頭部１１の上端面１８に有する開口部１９の内径は５〜１０ｃｍであり、頭部１１の外径は開口部１９の内径よりも２〜５ｃｍ大きい。内径が５ｃｍ未満であると、クラブ（不図示）を２本以上収納することができず、好ましくない。一方、１０ｃｍを超えると、嵩張り、携行に不適で好ましくない。内径は、好ましくは、クラブを数本収納可能で、容易にバッグなど（不図示）にクラブケース１を収納できる６〜８ｃｍであると良い。
【００２７】
フック１２は、クラブケースを携帯する際に邪魔にならないように、例えば、脱着可能な構造、頭部１１へ取り付けられた部分を軸にして回転可能な構造を有する。
【００２８】
脚１４は、頭部１１のフック１２の反対側の位置に一端が着脱可能に固定された棒状体である。プレイ中にクラブケース１を持ち運ぶときには、収納部２に沿うように収納され、クラブケース１を独立して起立させるときには、開脚してクラブケース１を支える構造となっている。また、脚１４は、クラブケース１をバックに収納して携帯する際には、胴部１１より取り外し、脚１４をキャディバッグにクラブとともに収納して携帯する。なお、脚１４の先端に錘１５を有すると、クラブケース１を安定して独立して起立させることができ、好ましい。
【００２９】
一方、脚１４は、例えば、太さの異なった２本以上の筒状の棒状体を繰り出すこと、又は、脚１４を折りたたむことによって伸縮可能としても良く、クラブケース１をバックに収納して携帯する際に脚１４の長さを短くして、バックに収納しても良い。
【００３０】
なお、脚１４の本数は、クラブケース１を起立させることができれば良く、２本に限られず、１本でも３本以上でもかまわない。また、脚１４の形状は、棒状体に限られず、板状でも、かまわない。脚１４の取り付け位置は、フック１２を用いてクラブケース１を、例えばゴルフカートの手摺に係止する際に邪魔にならない位置であれば良く、フック１２の反対側の位置に限定されない。
【００３１】
頭部１１ は、キャディバッグ１に収納し、フック１２をカート（不図示）の手摺に係止することから、クラブを収納したクラブケース１の重量によって変形しない剛体であれば良い。例えば、金属であれば、ステンレス、アルミニウム合金又はマグネシウム合金、樹脂であれば、フェノール樹脂、メラミン樹脂、ユリア樹脂、エポキシ樹脂、不飽和ポリエステル樹脂等の熱硬化性樹脂、ポリカーボネイト、ポリアミド、アセタール樹脂等のエンジニアリングプラスチックであっても良く、頭部１１の材質は、クラブを収納したクラブケース１の重量によって変形しない剛体であれば、これらに限定されるものではない。
【００３２】
底部３１ は、下端の底面３２ が閉じた中空の筒状の剛体からなり、クラブケース１を自立させたときに、重心を安定させ転倒を防止する安定錘３３を内蔵する。底部３１の上端から底部３１の底面３２までの長さは、脚１４側に対して逆側が大きく、クラブケース１を自立させたときに、クラブケース１が脚１４の方向に傾き、底面３２の接地面積が大きくなり、また、脚１４二本の先端と底面３２の３点で接地し、安定して自立する。なお、脚１４の長さが十分に長く、クラブケース１を自立させたときに、収納部２が垂直に自立可能であれば、底面３２は収納部２の伸長方向に垂直であってもかまわない。また、底面３２から、接地面と平行に平板（不図示）が引き出されることにより接地面積が大きくなり、安定して自立しても良い。
【００３３】
底部３１ の材質は、クラブケース１が自立する剛体であれば良く、頭部１１と同じ材質で良い。
【００３４】
腹部２２ は、折りたたみ可能な筒状シートからなり、上端が頭部１１の上端面１８の内側に脱着可能に固定され、下端が底部３１の底面３２の内側に脱着可能に固定されている。腹部２２の頭部１１及び底部３１への脱着可能に固定は、例えば、スナップボタンを設けることでも良いし、腹部２２に止め穴を設け、頭部１１及び底部３１の対応する位置に係止突起を設けることでも良い。腹部２２を頭部１１と底部３１から取り外して、腹部２２を折りたたんで頭部１１と底部３１と別個に携帯することにより、収納部２を頭部１１と底部３１の長さとすることができる。なお、腹部２２は、例えば、蛇腹状、又は、複数回折りたたむことより、嵩張らずに携帯することができる。
【００３５】
また、腹部２２は、伸縮可能に蛇腹状に折りたたみ可能な筒状シートからなり、腹部２２の上端は頭部１１の上端面１８の内側に固定され、下端は底部３１の底面３２の内側に固定されても良い。この場合、プレイヤがクラブケース１を持って電車などで移動する場合には、腹部２２を折りたたんで頭部１１と底部３１の中に腹部２２を収納するので、上端面１８の内側からと底面３２の内側まで長さは、収納部２を収縮させた状態で腹部２２が折りたたんで収納できる十分な長さであれば良い。
【００３６】
なお、腹部２２は、クラブケース１に収納したクラブがクラブケース１から抜け落ちなければ良く、例えば、補助棒１３に脱着可能に装着された２以上の筒状シート、又は、腹部２２の上端は頭部１１の上端面１８の内側に固定され、下端は底部３１の底面３２の内側に固定された2以上の帯状のシートであっても良く、本実施形態に限定されるものではない。
【００３７】
一方、腹部２２の材質は、筒状の形態を維持でき、例えば蛇腹状に、折りたためるものであれば良く、例えば、天然繊維又は合成繊維の布、皮、合成皮革、又は、樹脂であっても良い。樹脂であれば、例えば、ポリエチレン、ポリプロピレン、ポリ塩化ビニル、ポリビニルアルコール等の汎用プラスチックであっても良い。
【００３８】
補助棒１３は、頭部１１に一端が着脱可能に固定され、他端が底部３１に着脱可能に固定される棒状体で、フック１２及び脚１４が配置された方向に各１本、合計２本配置されている。補助棒１３の頭部１１及び底部３１への固定は、腹部２１が伸長したときに伸長した状態保持することができれば良く、例えば、ねじ止めでも良いし、頭部１１底部３１に設けられた取り付け孔（不図示）に補助棒１３をねじ込んでも良い。クラブケース１を携帯する際には、補助棒１３を頭部１１及び底部３１から取り外してキャディバッグに収納する。なお、補助棒１３は、例えば、太さの異なった２本以上の筒状の棒状体を繰り出すこと、又は、補助棒１３を折りたたむことによって伸縮可能としても良く、クラブケース１を携帯する際には、補助棒１３の長さを縮小しバックに収納して携帯しても良い。
【００３９】
また、補助棒１３は、腹部２１が伸長したときに伸長した状態保持することができれば良く、配置位置及び本数は、限定されない。補助棒１３の配置位置は、例えば、図１（ｂ）において上と下（フック１２と脚１４を結ぶ直径方向に直交する直径方向と収納部２の外周が交わる位置）の位置でも良いし、腹部２２の内側に配置されても良い。
【００４０】
携帯ベルト１６は、一端を１本の補助棒１３に、他端を他の補助棒１３に取り付けられ、例えばグリーン近くで２〜３本のクラブをクラブケース１に収納してクラブケース１を持ち運ぶ際に、携帯ベルト１６を手で持つか肩に掛けることができるように、適宜、長さを調節可能となっている。なお、携帯ベルト１６は、クラブケース１を持ち運ぶことに適してれば良く、１本の補助棒１３に取り付けられても良く、また、一端が頭部１１に、他端が底部３１に取り付けられても良い。
【００４１】
なお、クラブケース１は、ゴルフクラブに限らず、棒状の物品、例えば、雨傘や釣り竿を収納して、携帯することも可能である。
【００４２】
次に、本発明に係る実施形態の変形例について説明する。
【００４３】
図３は、本発明に係る変形例のクラブケース１であって、頭部１１及び底部３１から腹部２１、補助棒１３及び脚１４を取り外した状態を示す。
【００４４】
変形例に係るクラブケース１は、実施例と同様に、頭部１１、底部３１及び腹部２１を備える円筒状の収納部2と、２本の補助棒１３と、を備え、収納部２にゴルフクラブ（不図示）数本を収納することができる。また、収納部２は、クラブケース１を手で持ち運ぶために使用する携帯ベルト１６を、頭部１１には脚１４を、有する。なお、先述の実施例と同様の構成についてはその説明を省略する。
【００４５】
脚１４は、頭部１１のフック１２の反対側の位置に一端が固定された伸縮可能な棒状体で、先端に錘１５を有する。クラブケース１をプレイ中にクラブケース１を持ち運ぶときには、収納部２に沿うように収納され、クラブケース１を独立して起立させるときには、開脚してクラブケース１を支える構造となっている。一方、クラブケース１をバックに収納して携帯する際には、例えば、太さの異なった２本以上の筒状の棒状体を繰り出すこと、又は、脚１４を折りたたむことによって、脚１４を頭部１１と底部３１に対応する長さに縮小し、バックに収納することができる。
【００４６】
補助棒１３は、頭部１１に一端に固定され、他端が底部３１に固定された伸縮可能な棒状体で、フック１２及び脚１４が配置された方向に各１本、合計２本配置されている。クラブケースを携帯する際には、例えば、太さの異なった２本以上の筒状の棒状体を繰り出すこと、又は、脚１４を折りたたむことによって補助棒１３を頭部１１と底部３１に対応する長さに縮小し、キャディバッグに収納することができる。
【産業上の利用可能性】
【００４７】
本発明に係るクラブケース１は、ゴルフコースでプレイ中にはクラブを収納して容易に持ち運ぶことができ、また、プレイヤが電車で移動する場合には長さ方向に収縮することによりカバンの中に収納、宅配便貨物として運送する場合にはキャディバッグと一体的に運送可能で携帯が容易なクラブケースを提供することができる。
【符号の説明】
【００４８】
１        クラブケース
２        収納部
１１      頭部
１２      フック
１３      補助棒
１４      脚
１５      錘
１６      携帯ベルト
１８      上端面
１９      開口部
２１      腹部
３１      底部
３２      底面
３３      安定錘
【図１】
2020044148.tif 000003
【図２】
2020044148.tif 000004
【図３】
2020044148.tif 000005